(57)【要約】【課題】取外した柱上変圧装置の蓋を電柱上で安定に保持することが可能な柱上変圧装置蓋保持具及び柱上変圧装置蓋保持装置を提供する。【解決手段】本発明に係る柱上変圧装置蓋保持装置１は、電柱に取付けられている柱上変圧装置の点検時に、取外した蓋１１０を保持するための柱上変圧装置蓋保持具３と柱上変圧装置蓋保持具３を電柱の足場ボルトに吊り下げる吊り下げロープ５とを備える。柱上変圧装置蓋保持具３は、蓋保持具本体１０の連結部１４の両端部に一対の腕部１６、１８を有し、連結部１４の上部に吊り環３０を備え、腕部１８に設けられたねじ孔２４に螺合する、先端部に当て板２２が取付けられた締付ボルト１２と、腕部１６に設けられた受け部２０とで蓋１１０を挟み付け保持する。【選択図】図１
2010178574.tif 000002
【特許請求の範囲】
【請求項１】
平行離間する、端部にねじ孔を備える腕部と受け部を備える腕部とを連結する連結部を有するＵ字形状又はコ字形状の蓋保持具本体と、
前記腕部に設けられたねじ孔と螺合し、前記受け部を備える腕部方向に進退可能な締付ボルトと、を備え、
前記締付ボルトの先端部には、該締付ボルトに直交するように当て板が取付けられ、前記受け部は、前記当て板に相対する位置に設けられ、前記連結部の上部には吊り環が設けられていることを特徴とする柱上変圧装置蓋保持具。
【請求項２】
前記吊り環は、前記受け部の真上の前記連結部の上部に設けられていることを特徴とする請求項１に記載の柱上変圧装置蓋保持具。
【請求項３】
請求項１又は２に記載の柱上変圧装置蓋保持具と、
前記柱上変圧装置蓋保持具の吊り環に取付け、前記柱上変圧装置蓋保持具を吊り下げる吊り下げロープと、
を備えることを特徴とする柱上変圧装置蓋保持装置。
【発明の詳細な説明】
【技術分野】
【０００１】
本発明は、電柱に取付けられた柱上変圧装置の変圧器タップ調整、点検作業時に取外す柱上変圧装置の蓋を保持するための柱上変圧装置蓋保持具及び柱上変圧装置蓋保持装置に関する。
【背景技術】
【０００２】
図６は、従来の柱上変圧装置１００の概略的構成を示す断面図である。柱上変圧装置１００は、電柱の上部に装柱金物を介して取り付けて使用される変圧装置である。柱上変圧装置１００は、一般に円筒形をした金属性の変圧装置容器１０２内に、変圧器１０４と変圧器１０４の上部に設けられたタップ切換器１０６とが絶縁油１０８に浸かった状態で収納されている。変圧装置容器１０２の上部は開口し、開口部を覆うように着脱可能に蓋１１０が取り付けられている。
【０００３】
蓋１１０は、金属製の円盤状の蓋体１１２と該蓋体１１２の周囲全体を囲むように取付けられた帯状体１１４とを有し、蓋体１１２の直径は、変圧装置容器１０２の直径よりも僅かに大きく、変圧装置容器１０２の開口部を覆ったとき雨水が変圧装置容器１０２に入り込まない構造となっている。また蓋体１１２の裏面の周縁部には、弾性を有する蓋パッキン１１６が取付けられており、この蓋パッキン１１６が変圧装置容器１０２との密閉性を高めている。
【０００４】
変圧器１０４は、高圧配電線路に印加されている一次側の電圧を家庭や事務所等で使用する二次側の電圧に変圧するために用いられる。タップ切換器１０６は、二次側の電圧が一定になるように電圧を切り換える切換器である。絶縁油１０８は、変圧器１０４と変圧装置容器１０２を絶縁すると同時に変圧器１０４を冷却する媒体でもある。
【０００５】
柱上変圧装置１００は、定期的に点検されており、変圧器１０４の上部に取り付けられたタップ切換器１０６を調整することで二次側の電圧を一定に保っている。また、落雷等が発生した場合も柱上変圧装置１００の損傷の状況を調べるため点検が行われている。作業者による柱上変圧装置１００の点検作業は、変圧器１０４が収納されている変圧装置容器１０２の上部の蓋１１０を取外して行われる。このため変圧装置容器１０２から取外した蓋１１０が落下しないように保持しておく必要がある。
【０００６】
柱上変圧装置１００の点検作業を行なう作業者は、工具を収納する工具袋を携帯しており、工具等はこの工具袋に収納することで落下を防止することができるけれども、蓋１１０は工具袋に収納できる大きさではないため、作業者が片手で蓋１１０を保持しながら作業をするか、又は作業者を２名で構成し、一名の作業者が蓋１１０を保持することで作業が行われる。上記に示す従来の柱上変圧装置１００では作業性が悪いとして、本件出願人は、蓋１１０が変圧装置容器１０２に蝶番で取り付けられた柱上変圧装置を開発し既に特許出願を行っている（例えば特許文献１参照）。
【先行技術文献】
【特許文献】
【０００７】
【特許文献１】特開２００７−５５６６号公報
【発明の概要】
【発明が解決しようとする課題】
【０００８】
特許文献１に記載の柱上変圧装置は、蓋が変圧装置容器に連結されているので、柱上変圧装置の点検作業時に蓋を開けても、蓋を別途、保持する必要がなく作業性の高い優れた柱上変圧装置と言える。しかしながら既に設置されている柱上変圧装置は、多くが蓋を変圧装置容器から取外す構成になっており、柱上変圧装置を特許文献１に記載の柱上変圧装置のように改造するためには、一時的に別の変圧装置に切替えた後、工場に持ち帰り改造工事をしなければならず、特許文献１に記載の技術を既設の柱上変圧装置へ適用することは容易ではない。そのため柱上変圧装置を改造することなく、蓋を安全な状態で仮置することができる装置の開発が待たれている。
【０００９】
本発明の目的は、取外した柱上変圧装置の蓋を電柱上で安定して保持することが可能な柱上変圧装置蓋保持具及び柱上変圧装置蓋保持装置を提供することである。
【課題を解決するための手段】
【００１０】
請求項１に記載の本発明は、平行離間する、端部にねじ孔を備える腕部と受け部を備える腕部とを連結する連結部を有するＵ字形状又はコ字形状の蓋保持具本体と、前記腕部に設けられたねじ孔と螺合し、前記受け部を備える腕部方向に進退可能な締付ボルトと、を備え、前記締付ボルトの先端部には、該締付ボルトに直交するように当て板が取付けられ、前記受け部は、前記当て板に相対する位置に設けられ、前記連結部の上部には吊り環が設けられていることを特徴とする柱上変圧装置蓋保持具である。
【００１１】
請求項２に記載の本発明は、請求項１に記載の柱上変圧装置蓋保持具において、前記吊り環は、前記受け部の真上の前記連結部の上部に設けられていることを特徴とする。
【００１２】
請求項３に記載の本発明は、請求項１又は２に記載の柱上変圧装置蓋保持具と、前記柱上変圧装置蓋保持具の吊り環に取付け、前記柱上変圧装置蓋保持具を吊り下げる吊り下げロープと、を備えることを特徴とする柱上変圧装置蓋保持装置である。
【発明の効果】
【００１３】
本発明に係る柱上変圧装置蓋保持具は、締付ボルトの先端部に取付けられた当て板と一の腕部に設けられた受け部とで、柱上変圧装置の蓋を簡単に挟み込むことができる。また蓋保持具本体の連結部の上部には吊り環が設けられているので、この吊り環に吊り下げロープの一端を括り付け、吊り下げロープの他端を電柱の足場ボルト等に固定すれば、吊り下げロープ及び柱上変圧装置蓋保持具を介して柱上変圧装置の蓋を確実に吊り下げておくことができる。蓋には蓋体に直交するように帯状体が設けられているので、柱上変圧装置蓋保持具で柱上変圧装置の蓋の蓋体を挟み込むことで、万が一、締付ボルトが緩んでも、締付ボルトの先端部に取付けられた当て板が蓋の帯状体に引っかかるので、蓋が柱上変圧装置蓋保持具から外れて落下することはない。
【００１４】
また、本発明によれば、吊り環は、受け部の真上の連結部の上部に設けられているので、蓋をほぼ真直ぐに吊り下げることができる。これにより、より安定的に蓋を吊り下げることができる。
【００１５】
また、本発明に係る柱上変圧装置蓋保持装置は、柱上変圧装置蓋保持具と、柱上変圧装置蓋保持具の吊り環に取付け、柱上変圧装置蓋保持具を吊り下げる吊り下げロープとを備えるので、既設の柱上変圧装置の蓋に何ら加工を加えることなく、蓋を電柱の足場ボルト等に簡単かつ確実に吊り下げることができる。
【図面の簡単な説明】
【００１６】
【図１】本発明の第１実施形態としての柱上変圧装置蓋保持装置１の概略的構成を示す正面図である。
【図２】図１の柱上変圧装置蓋保持装置１の一部を構成する柱上変圧装置蓋保持具３の正面図である。
【図３】図１の柱上変圧装置蓋保持装置１の一部を構成する柱上変圧装置蓋保持具３の蓋保持具本体１０の側面図である。
【図４】図１の柱上変圧装置蓋保持装置１の一部を構成する柱上変圧装置蓋保持具３の蓋保持具本体１０の変形例である蓋保持具本体１１の側面図である。
【図５】図１の柱上変圧装置蓋保持装置１の一部を構成する柱上変圧装置蓋保持具３の変形例である柱上変圧装置蓋保持具４の正面図である。
【図６】従来の柱上変圧装置１００の概略的構成を示す断面図である。
【発明を実施するための形態】
【００１７】
図１は、本発明の第１実施形態としての柱上変圧装置蓋保持装置１の概略的構成を示す正面図である。図２は、図１の柱上変圧装置蓋保持装置１の一部を構成する柱上変圧装置蓋保持具３の正面図である。図３は、図１の柱上変圧装置蓋保持装置１の一部を構成する柱上変圧装置蓋保持具３の蓋保持具本体１０の側面図である。図４は、図１の柱上変圧装置蓋保持装置１の一部を構成する柱上変圧装置蓋保持具３の蓋保持具本体１０の変形例である蓋保持具本体１１の側面図である。図５は、図１の柱上変圧装置蓋保持装置１の一部を構成する柱上変圧装置蓋保持具３の変形例である柱上変圧装置蓋保持具４の正面図である。
【００１８】
柱上変圧装置蓋保持装置１は、柱上変圧装置１００の点検時等に取り外される蓋１１０を安定して保持し電柱の足場ボルト等に吊すための保持装置であって、蓋１１０の蓋体１１２端部を締め付けて保持する柱上変圧装置蓋保持具３と、柱上変圧装置蓋保持具３を電柱の足場ボルト等（図示を省略）に吊下げるための吊り下げロープ５とを含む。
【００１９】
柱上変圧装置蓋保持具３は、蓋保持具本体１０と締付ボルト１２とを有し、蓋保持具本体１０と締付ボルト１２とで蓋１１０の蓋体１１２を挟み込み保持する。
【００２０】
蓋保持具本体１０は、蓋１１０を吊り下げるための十分な強度を持つ金属性の部材からなり、平行離間する一対の腕部１６、１８を連結部１４で連結する大略的にはＵ字形状又はコ字形状を有し、連結部１４は、両端部に設けられた平行離間する一対の腕部１６、１８と一体的に形成されている。蓋保持具本体１０は、基本的には平行離間する一対の腕部１６、１８を連結部１４で連結する構造であれば、Ｕ字形状又はコ字形状に限定されないけれども、Ｕ字形状又はコ字形状とすることで製造が容易となる。また強度的にも優れる。なお、蓋保持具本体１０は、連結部１４と一対の腕部１６、１８とを別々に製作し、その後連結してもよい。
【００２１】
柱上変圧装置蓋保持具３を用いて蓋１１０を保持するときは、蓋１１０の帯状体１１４が連結部１４に平行になるように保持されるので、連結部１４の長さは、少なくとも蓋１１０の帯状体１１４の高さ（幅）以上の長さが必要である。一対の腕部１６、１８は、基本的には各々の先端部に設けられる受け部２０及びねじ孔２４を支持できる大きさであればよく、長さも必要以上に長くする必要はない。
【００２２】
一の腕部１６の先端部には、受け部２０が設けられている。受け部２０は、締付ボルト１２の先端部に設けられた当て板２２とで蓋１１０の蓋体１１２を挟込み保持する部位であり、腕部１６の先端部に、当て板２２と相対する位置に設けられている。受け部２０の大きさは特に限定されないけれども、小さ過ぎると、蓋１１０を安定的に保持することができないので、ある程度の大きさは必要である。また受け部２０が小さ過ぎると、締付ボルト１２の先端部に設けられた当て板２２とで蓋１１０の蓋体１１２を挟み込んだとき、局所的に力が加わり、蓋１１０が変形する恐れがあるのでこの点からも好ましくない。一方、受け部２０の大きさを必要以上に大きくすると、蓋保持具本体１０の大きさも大きくなり、重量も重く、かつ携行性、作業性が悪くなるので、保持する蓋１１０の大きさ、重量に応じて適宜決定することが好ましい。なお、図１に示す蓋１１０の蓋体１１２のように中央部が湾曲しているときは、受け部２０の大きさは、図１に示すように蓋体１１２の周縁部の平坦部のみを挟みつける大きさとすることで、蓋１１０を安定的に保持することができる。
【００２３】
受け部２０は、腕部１６の先端部を膨らませることで一体的に形成されているけれども、受け部２０と腕部１６を別々に製作し、腕部１６の先端部に受け部２０を溶接等で取付けてもよい。さらに図４に示すように腕部５１の幅を広くし、腕部５１の先端部を受け部５２として機能させてもよい。受け部２０は、締付ボルト１２の先端部に設けられた当て板２２と同一の形状が好ましい。
【００２４】
受け部２０の内側の面には、挟み込み保持する蓋１１０に傷がつかないようにするためのゴム板等からなる弾性体２６が取付けられている。弾性体２６は、蓋１１０に傷がつくことを防止する他、保持する蓋１１０への締付力を増し、蓋１１０がずれることを防止する。
【００２５】
一方、他の腕部１８の先端部には、締付ボルト１２が螺合するねじ孔２４が設けられている。ねじ孔２４は、腕部１８の先端部に直接設ける代わりに、ねじ孔２４を有する部材と腕部１８とを別々に製作し、腕部１８の先端部にねじ孔２４を有する部材を溶接等で取付けてもよい。締付ボルト１２は、軸部１３が全てねじ山となっている所謂全ねじであり、ねじ部の長さは、少なくとも連結部１４以上の長さを有する。このねじ孔２４に螺合する締付ボルト１２は、腕部１８に直交し、腕部１６方向に前進、腕部１６から離れるように後退することができる。ねじ孔２４は、締付ボルト１２を絞め込んだとき、締付ボルト１２の中心線が受け部２０の中心と一致するように設けられている。
【００２６】
締付ボルト１２の先端部には、蓋１１０を保持するための当て板２２が締付ボルト１２に対して回転自在に取付けられている。当て板２２が締付ボルト１２に対して回転自在に取付けられていることで蓋１１０をしっかりと保持することできる。このような取付け方法は、公知の方法で行うことができる。例えば、締付ボルト１２の先端部に凸状の段差を設け（図示省略）、当て板２２の中央部に凸部よりも少し大きい径の孔（図示省略）を設け、凸部に当て板２２を嵌め入れた後、凸部の先端部を膨らませる。凸部の先端部を膨らませる代わりに、当て板２２が脱落することを防止するストッパーを設けてもよい。このように締付ボルト１２の先端部に当て板２２を取付けることで、当て板２２は締付ボルト１２から脱落することなく、締付ボルト１２に対して回転自在となり、さらに締付ボルト１２に対して多少のがたつきを有するので、締付ボルト１２と蓋１１０とが完全に直交していなくても、蓋１１０をしっかりと保持することできる。
【００２７】
当て板２２は、腕部１６の先端部に設けられた受け部２０とで蓋１１０の蓋体１１２を挟込み保持する部材であるので、蓋１１０を安定的に締付け固定するための大きさが必要である。この当て板２２の大きさは、受け部２０の大きさと同じように考えることができ、当て板２２の大きさと受け部２０の大きさと同一することが好ましい。また、蓋１１０の内側であって周縁部に設けられた蓋パッキン１１６の幅が比較的狭い場合には、当て板２２の端部３４と当て板２２の中心３６との距離が蓋パッキン１１６の幅以下となるようにすることが好ましい。このようにすることで、蓋パッキン１１６の上を柱上変圧装置蓋保持具３で挟みつけても、当て板２２と受け部２０が平行となり安定的に蓋１１０を保持することができる。当て板２２の形状は特に限定されないけれども、蓋１１０の形状が円でありさらに蓋１１０の周縁部には帯状体１１４が設けられていること、当て板２２の一部が帯状体１１４に接するよう蓋１１０を挟み込み保持することを考えれば、当て板２２の形状は丸が好ましい。
【００２８】
当て板２２の反締付ボルト側の面には、受け部２０の内側の面と同様に、挟み込み保持する蓋１１０に傷がつかないようにするためのゴム板等からなる弾性体２７が取付けられている。弾性体２７は、蓋１１０に傷がつくことを防止する他、保持する蓋１１０への締付力を増し、蓋１１０がずれることを防止する。なお、当て板２２自身を厚みのあるゴム板で形成することで、弾性体２７を省略することもできる。
【００２９】
締付ボルト１２は、当て板２２とは反対側の端部に締付ボルト１２を締め付けるためのリング状の締付体２８を有する。この締付体２８は、締付ボルト１２を締付けるためのものであって、手又は治具を用いて回転させることで締付ボルト１２を締め付けることができる。締付体２８は、容易に手で回すことが可能な形状、大きさが好ましく、リング状の他、棒状、円柱状の締付体が例示される。但し、締付体２８を必要以上に大きくすると重量も重く、かつ携行性、作業性が悪くなるので好ましくない。締付ボルト１２に蝶ボルトを用いてもよい。
【００３０】
蓋保持具本体１０の連結部１４の上部には、吊り下げロープ５を取付けるための吊り環３０が取付けられている。吊り下げロープ５の一端をこの吊り環３０に固定し、ロープの他端部３２を電柱の足場ボルトにひっかけることで、吊り下げロープ５及び柱上変圧装置蓋保持具３を介して蓋１１０を電柱に確実に吊り下げることができる。吊り環３０の取付け位置は、連結部１４の中央上部とすることもできるけれども、図５に示すように受け部２０の真上、ほぼ真上、又は弾性体２６の真上の連結部１４の上部に設けることが好ましい。吊り環３０をこの位置に取り付けることで、蓋１１０をほぼ垂直な状態で吊り下げることができる。これにより蓋１１０が電柱に接触せず、柱上変圧装置蓋保持装置１に無理な力が働かず安定して蓋１１０を吊るすことができる。
【００３１】
上記構成からなる柱上変圧装置蓋保持具３の大きさは、保持する蓋１１０の大きさによって異なり、特定の大きさに限定されないけれども、例えば２０ＫＶＡ、３０ＫＶＡの柱状変圧装置１００の蓋１１０の大きさは、蓋体１１０の直径が約３６３ｍｍ、帯状体１１４の幅が３０〜５０ｍｍ、板の厚さが約２ｍｍ、重量が約２ｋｇであり、この蓋１１０を保持する柱上変圧装置蓋保持具３の大きさは、連結部１４の長さを１００ｍｍ程度、腕部１６、腕部１８の長さも約１００ｍｍ程度とすることができる。
【００３２】
吊り下げロープ５は、柱上変圧装置蓋保持具３に保持した蓋１１０を吊り下げ可能な強度を有すればよく、市販の金属又は合成樹脂製のロープを使用することができる。一端部３２は、電柱の足場ボルトに簡単に引っ掛けられるように予め環としておくてもよく、さらには、電柱の足場ボルトに簡単に引っ掛けられるようにフックを設けておいてもよい。吊り下げロープ５の長さは特に限定されないけれども、必要以上に長くすべきではない。吊り下げた蓋１１０を保持した柱上変圧装置蓋保持具３を引き上げるのに多くの労力が必要となる。作業に邪魔とならないような位置に吊り下げ可能な長さとすることが好ましい。
【００３３】
柱上変圧装置蓋保持装置１を用いて柱上変圧装置１００の蓋１１０を電柱の足場ボルトに吊り下げるには、まず、柱上変圧装置蓋保持具３の締付ボルト１２を緩め、当て板２２と受け部２０との間隔を、蓋１１０の帯状体１１４の高さよりも大きくした状態としておく。また吊り下げロープ５の一端は吊り環３０に固定し、吊り下げロープ５の他端部３２は、電柱の足場ボルトに引っ掛けておく。作業者は柱上変圧装置１００から蓋１１０を取り外し、柱上変圧装置蓋保持具３を取り外した蓋１１０の帯状体１１４に被せるようにし、締付ボルト１２の締付体２８を回し締付ボルト１２を締める。これにより蓋１１０の蓋体１１２の端部が当て板２２と受け部２０とで挟み込まれ、蓋１１０が柱上変圧装置蓋保持具３に保持される。
【００３４】
柱上変圧装置蓋保持装置１は、当て板２２と受け部３０とに各々弾性体２６、２７を有するので、蓋１１０を締付けた締付ボルト１２が緩みにくく、蓋１１０を安定的に保持することができる。また、蓋１１０には、外周に蓋体１１２に直交するように帯状体１１４が取り付けられているため、仮に、締付ボルト１２が緩んだとしても、締付ボルト１２の先端部に取付けられている当て板２２が帯状体１１４に引っかかるので、蓋１１０が柱上変圧装置蓋保持具３から外れて落下することはない。
【００３５】
柱上変圧装置１００の点検は、作業者が柱上変圧装置１００の蓋１１０を取り外して作業をすることになるが、本発明に係る柱上変圧装置蓋保持装置１を用いることで、速やかに蓋１１０を安定して保持することができる。また、点検作業を妨げない安全な場所に蓋１１０を吊るすことができるので、作業者は、点検作業に注力でき安全作業の確保と高い作業効率が得られる。さらに本発明に係る柱上変圧装置蓋保持装置１を使用すれば、既設の柱上変圧装置１００の蓋１１０に何らの加工も加える必要がないので、既設の柱上変圧装置１００の点検作業に容易に適用することができる。
【符号の説明】
【００３６】
１      柱上変圧装置蓋保持装置
３      柱上変圧装置蓋保持具
４      柱上変圧装置蓋保持具
５      吊り下げロープ
１０    蓋保持具本体
１２    締付ボルト
１４    連結部
１６    腕部
１８    腕部
２０    受け部
２２    当て板
２４    ねじ孔
３０    吊り環
５１    腕部
５２    受け部
【図１】
2010178574.tif 000003
【図２】
2010178574.tif 000004
【図３】
2010178574.tif 000005
【図４】
2010178574.tif 000006
【図５】
2010178574.tif 000007
【図６】
2010178574.tif 000008